(57)【要約】【課題】  ＩＣタグ部を商品に簡単に取付けることができるＩＣタグ１１を提供する。【解決手段】  合成樹脂によって一体成形され、フイラメント部３、４の両端に挿通頭部を持つ雄部５と、前記挿通頭部５と係合する挿通孔６ｂを持つ雌部６をそれぞれ設けた封緘具１と、この封緘具１に、手操作で分離できる連結部９を介してＩＣチップ１２ａが内蔵されたタグ部１１が連結されている封緘具付きＩＣタグ。【選択図】            図１
2005190173.tif 000002
【特許請求の範囲】
【請求項１】
合成樹脂によって一体成形され、フイラメント部の両端に挿通頭部を持つ雄部と、前記挿通頭部と係合する挿通孔を持つ雌部をそれぞれ設けた封緘具と、この封緘具に、手操作で分離できる連結部を介してＩＣチップが内蔵されたタグ部が連結されていることを特徴とする封緘具付きＩＣタグ。
【請求項２】
前記封緘具は直線状のフイラメント部を持ち、雌部の近傍に手操作で分離できる連結部を介して連結されていることを特徴とする請求項１記載の封緘具付きＩＣタグ。
【請求項３】
合成樹脂によって一体成形され、屈曲部と、これの両端より延長されたほぼ同じ長さの２本のフイラメント部を有し、１本のフイラメント部の端部に挿通頭部を持つ雄部を、他方のフイラメント部の端部に挿通孔を持つ雌部をそれぞれ設け、前記屈曲部に手操作で分離できる連結部を介してＩＣチップが内蔵されたＩＣタグ部が連結されていることを特徴とする封緘具付きＩＣタグ。
【請求項４】
前記屈曲部は、Ｕ形、Ｖ形、丸形などの形状に形成されていることを特徴とする請求項３記載の封緘具付きＩＣタグ。
【請求項５】
前記連結部は、捻り操作によって切断可能であることを特徴とする請求項１ないし３のいずれかに記載の封緘具付きＩＣタグ。
【請求項６】
前記連結部は、１本以上の糸状に形成され、これに捻り操作でタグ部が分離可能になっていることを特徴とする請求項１ないし３のいずれかに記載の封緘具付きＩＣタグ。
【請求項７】
前記連結部は、薄肉の板状に形成され、該連結部にＩＣタグ部が分離可能に接続されていることを特徴とする請求項１ないし３のいずれかに記載の封緘具付きＩＣタグ。
【請求項８】
前記連結部は、一部に断面の縮小部が形成され、この部分に捻り操作を与えることによってＩＣが内蔵されたＩＣタグ部が分離可能になっていることを特徴とする請求項１ないし３のいずれかに記載の封緘具付きＩＣタグ。
【発明の詳細な説明】
【技術分野】
【０００１】
本発明は、合成樹脂で成形された直線状のフイラメント部の両端部にそれぞれ挿通頭部を持つ雄部と、この挿通頭部と係合する挿通孔を持つ雌部をそれぞれ設けた封緘具あるいは、フイラメント部の長さの中央部で折り返してＶ形あるいは間隔が狭いＵ型、あるいは松葉形に形成され、その両端に挿通頭部を持つ雄部と、この挿通頭部と係合する挿入部を持つ雌部がそれぞれ配置され、これらを嵌合して簡単に輪状に結合でき、しかも、これに取付けられた表示札を管理できる封緘具と、これに連結部を介して連結されたＩＣタグ部とからなる封緘具付ＩＣタグに関する。
【背景技術】
【０００２】
例えば、缶詰や各種の食品を入れた袋物には粘着剤層を背面に設けた値札や表示札がラベラーによって貼付けられている。これに対して衣類やカバンやスリッパ等のように、粘着剤で値札を貼付けることができない商品の場合は、値札やブランドタグやメーカータグ、又は商品説明用タグ（以下タグ類）を糸で縫付ける方法が使用されてきたが、これは取付けの作業性が極めて悪い。
【０００３】
そこで、合成樹脂成形品のフイラメント状の封緘具が使用されるようになった。この基本的な封緘具は、直線状のフイラメント部の一端に挿通頭部を持つ雄部と、他端にこの挿通頭部に係合する挿入部を持つ雌部をそれぞれ配置して前記雌部の孔に雄部を挿通してフイラメント部を輪状に形成するようにしたものである（例えば、特許文献３）。
【０００４】
また、前記基本的な封緘具を進化させたものとして、フイラメント部を二つ折りにした形状とし、その一端に雄部を、他端にこの雄部を受け入れて係合する雌部をそれぞれ設け、雄部側を値札やブランドタグや商品説明タグ（以下タグ類）に設けた孔に通し、更に商品の孔や把手などに通した後、この雄部を雌部の孔に嵌合連結するものが提案されている（例えば、特許文献１及び特許文献２参照）。
【特許文献１】特公昭６０−３６５８８号公報
【特許文献２】特公平１−３６６３１号公報
【特許文献３】特公昭５７−８４７３号公報
【発明の開示】
【発明が解決しようとする課題】
【０００５】
特許文献１に記載された発明に係る封緘具は、いわゆる松葉形の封緘具と称されているもので、直線状のフイラメント部を二つ折りにすると共に、雄部と雌部に近い支持部分を切断可能に小面積で連結したものである。
【０００６】
この封緘具はフイラメント部が二つ折りになっていることから、タグ類の孔に雄部を通す作業が容易であり、更に、雄部と雌部とが接近して連結されていることから、封緘具をリング状に連結する作業も容易である。また、フイラメント部の折り返した部分にタグ類を移動させないように保持ないし挟持することができることからタグ類の位置保持も容易である。
【０００７】
また、特許文献２に記載された発明も同様に松葉形の封緘具であり、金型を小型化するために雄部と雌部との連結部に改良を加えており、この封緘具も前記特許文献１のものと同様な特徴を持っている。また、特許文献３に記載された封緘具は、フイラメント部を直線状にした、この種の封緘具の基本形を示しており、雄部と雌部の係合部の構造の詳細を示している。
【０００８】
前記３件の特許文献に記載された封緘具は、効率的に製造することができる上に封緘操作が単に雌部に雄部を挿入するだけであるので極めて容易であるという特徴がある。
【０００９】
そして、これらの封緘具は、衣類にタグ類を取付け、その衣類を展示し、販売する際にレジにおいて、その封緘具を鋏で切断してタグ類を外し、このタグ類を利用して商品の製造・保管・販売までの一貫した管理を行っている。
【００１０】
前記特許文献１と２の松葉形の封緘具の場合は、フイラメントの折り曲げた部分にタグ類を支持できるので、タグ類の位置を安定させることができ、商品を展示した際の見栄えも良好である。従って、この商品の販売と共にこのタグ類を廃棄する場合は別として、切断した封緘具よりタグ類を分離する操作が煩雑である。つまり、切断された封緘具のフイラメント部がタグ類を挟んだ状態になっており、このタグ類を分離する際には片手でタグ類を持ち、他方の手で切断された封緘具を持ってタグ類の孔からこの封緘具を引き抜かなければならず、その操作が煩雑である。
【００１１】
最近、大量の情報を記憶できる微小寸法のＩＣチップが開発され、これは例えば本やＣＤや家電製品その他大量販売される商品の表示や価格の管理手段として使用されるようになってきた。
【００１２】
このＩＣチップは小型、小粒子状でありながら、多量の情報を記録することができることから、これを商品の管理情報として使用すると、その商品の製造から販売までの各種の管理に使用することができる。
例えば、このＩＣチップ及び／又はアンテナを、直接衣料品等の商品に編み込んだり、埋め込んだり、組み込んだりし、ＩＣチップに記憶された各種の情報を利用して有効な商品及び顧客管理を行うことができる。また、ＩＣチップとアンテナとを結合した「インレット」を紙あるいは合成樹脂シートに添付して「ＩＣ付きタグ」を形成し、このＩＣ付きタグを別体の封緘具（合成樹脂製）によって商品に取付けることができれば、顧客がその商品を購入した際、このＩＣ付きタグを利用して有効な商品及び顧客管理を行うことができる。しかし、このような「ＩＣチップ」、「インレット」又は「ＩＣ付きタグ」を使用した場合は、次のような問題がある。
【００１３】
１）ＩＣチップ及び／又はアンテナを直接衣料品等の商品に編み込んだり、埋め込んだり、組み込んだりした場合には、ＩＣチップを追跡することによって、当該衣料品を購入した個人の情報を収集することができるので、プライバシーの侵害につながる恐れがある。特に、クレジットカード等を利用して当該衣料品を購入した場合には、クレジットカード情報から個人の情報を得ることができるので、ＩＣチップと個人とを紐付けることができ、プライバシー侵害の問題はさらに大きくなる可能性がある。
【００１４】
２）通常、商品には、製造者名、販売会社名、代理店名、ブランド名、ロゴ及び／又は商品名等が記載されたブランドタグが取付けられる。上述した「ＩＣチップ」、「インレット」又は「ＩＣ付きタグ」を、商品に取付けようとする場合、既に存在するブランドタグの裏面に「インレット」を貼り付けるとか、ブランドタグに「ＩＣ付きタグ」を取付ける等の加工を施そうとする可能性がある。しかしながら、ブランドタグは、言い換えれば製造者、販売会社又は代理店等の「顔」に該当するので、ブランドタグの加工は，一切許されない可能性が高い。
【００１５】
３）ブランドタグの他にも、商品名や商品の性質を表示するための商品タグ、値札等が商品に取付けられて販売される。そこで、紙層の中に「インレット」をすき込んでシートを製造し、所定の形状に切断して、印刷や印字を行って、ブランドタグ、商品タグ又は値札を作成することも考えられる。しかしながら、「インレット」をブランドタグ、商品タグ又は値札等にすき込む場合には、ブランドタグ、商品タグ又は値札の印刷や印字ミスが発生した場合、これらと共に「インレット」をも廃棄しなければならず、大きな損失となる。
【００１６】
４）「ＩＣ付きタグ」を別個に商品に取付けることが考えられる。一般に、値札はレジで外すことが多いが、それ以外のタグ等は、そのまま商品と一緒に顧客に渡すこととなり、したがって「ＩＣ付きタグ」も顧客に渡ることとなる。しかしながら、「ＩＣ付きタグ」には、各種情報が記憶されており、それらの情報が第３者に渡ってしまう可能性があり、これは一種の営業秘密の漏洩にもなる。
【００１７】
５）ＩＣチップ及び／又はアンテナを直接衣料品等の商品に編み込んだり、埋め込んだり、組み込んだりすると、その為の工程が必要となり、製造原価がＵＰしてしまう。また、ブランドタグに「ＩＣチップ」、「インレット」又は「ＩＣ付きタグ」を取付ける場合にも、取付け工程が必要となり、原価のＵＰにつながる。
【００１８】
６）そこで、封緘具と「ＩＣチップ」、「アンテナ」又は、「インレット」等とを樹脂で一体成形することも考えられる。しかしながら、「ＩＣチップ」は耐熱性に劣ることから、樹脂で一体成形すると、高温で溶解している樹脂の熱で「ＩＣチップ」が損傷する可能性があり、製造工程における温度管理が複雑になる。また、「ＩＣチップ」、「アンテナ」又は，「インレット」と樹脂との収縮率が異なるため、「アンテナ」や「インレット」内のアンテナ部に波打ちが発生して無線通信の機能が劣化する。また、金型内に「ＩＣチップ」、「アンテナ」又は「インレット」を配置すると、樹脂の注入圧力によって配置位置がズレて、正常に機能しない可能性がある。
【００１９】
本発明は、前記従来のタグの問題点を解消するもので、封緘具と「ＩＣタグ部」を成形工程において一体化したものであるが、このＩＣタグ部の主要部の機能を損なわないように、一定温度以上に加熱しないことを特徴とするものである。
【００２０】
前記ＩＣタグ部は、従来の商品を表示する商品タグあるいは製造メーカーやそのメーカーのブランドを表示するブランドタグのように、顧客に商品と共に手渡すことを前提とするものではなく、レジにおいて回収してその商品情報が外部に漏れることを防ぎ、この商品情報をその商品、あるいは関連する商品の製造・販売の情報として利用することができるものを意味する。
【００２１】
また、手操作によりＩＣタグ部と合成樹脂製封緘具とを簡単に分離できるＩＣ付きタグを提供することを目的とするものである。
【課題を解決するための手段】
【００２２】
前記目的を達成するための本発明にかかる封緘具付きＩＣタグは、次のように構成されている。
【００２３】
１）合成樹脂によって一体成形され、フイラメント部の両端に挿通頭部を持つ雄部と、前記挿通頭部と係合する挿通孔を持つ雌部をそれぞれ設けた封緘具と、この封緘具に、手操作で分離できる連結部を介してＩＣチップが内蔵されたタグ部が連結されていることを特徴としている。
【００２４】
２）前記封緘具は直線状のフイラメント部を持ち、雌部の近傍に手操作で分離できる連結部を介して連結されていることを特徴としている。
【００２５】
３）合成樹脂によって一体成形され、屈曲部と、これの両端より延長されたほぼ同じ長さの２本のフイラメント部を有し、１本のフイラメント部の端部に挿通頭部を持つ雄部を、他方のフイラメント部の端部に挿通孔を持つ雌部をそれぞれ設け、前記屈曲部に手操作で分離できる連結部を介してＩＣチップが内蔵されたＩＣタグ部が連結されていることを特徴としている。
【００２６】
４）前記屈曲部は、Ｕ形、Ｖ形、丸形などの形状に形成されていることを特徴としている。
【００２７】
５）前記連結部は、捻り操作によって切断可能であることを特徴としている。
【００２８】
６）前記連結部は、１本以上の糸状に形成され、これに捻り操作でタグ部が分離可能になっていることを特徴としている。
【００２９】
７）前記連結部は、薄肉の板状に形成され、該連結部にＩＣタグ部が分離可能に接続されていることを特徴としている。
【００３０】
８）前記連結部は、一部に断面の縮小部が形成され、この部分に捻り操作を与えることによってＩＣが内蔵されたＩＣタグ部が分離可能になっていることを特徴としている。
【発明の効果】
【００３１】
請求項１の発明により、通常の封緘具のように使用して衣類やバッグ類などの商品に、製造メーカー名や商品説明、材質など説明のタグ類を簡単に取付けることができ、更に、その封緘具にＩＣチップを内蔵したＩＣタグ部（通常の商品タグとは別に扱うことが可能なもの、回収可能なもの）が添付されているので、このＩＣタグ部に大量の商品の製造・販売などの情報を入力しておくことができる。
【００３２】
この商品の販売時に、添付されていたＩＣタグ部を商品より簡単に手操作で分離し、回収する。そしてこのＩＣタグ部に記録されていた商品に関する大量のデータを利用して次の商品の製造・販売のデータとしたり、関連する商品や次の商品の開発のデータなどに利用することができる。
【００３３】
請求項２の発明により、直線状のフイラメントを持つ封緘具とＩＣタグ部とが直線状に形成されているので、ＩＣ付きタグの整理が容易である。
【００３４】
請求項３の発明により、封緘具はＶ形あるいは松葉形に形成されているので、極めて簡単な操作でＩＣ付きタグを商品に固定することができ、容易に商品管理を行うことができる。
【００３５】
請求項４の発明により、各種形状を持つＶ形あるいは松葉形の封緘具を持つＩＣ付きタグを提供することができる。
【００３６】
請求項５の発明により、封緘具とＩＣチップを内蔵するＩＣタグ部（札部）とを手操作によって切断することができるので、ＩＣタグ部を容易に商品より分離し、保管することができる。
【００３７】
請求項６〜８の発明により、捻り、引き千切りや折り曲げなどの「手操作」で容易に封緘具とＩＣタグ部とを分離できる連結部の各種の形態のものを提供することができる。
【００３８】
前記のように商品から分離されたＩＣタグ部は、製造メーカーやデパートなどの販売者の極めて利用価値のある重要な情報であると共に、販売価格や商品の名称や購入したデパート等の大量の情報を含むもので、これが商品より分離されて回収されることは、商品だけではなく、その商品を購入した顧客の追跡情報、すなわち個人情報の漏洩の防止ともなり、プライバシーの保護にも役立つものである。
【発明を実施するための最良の形態】
【００３９】
次に、図面を参照して本発明の実施の形態を説明する。
（実施例１）
図１〜６は第１の実施例に関係しており、図１は第１の実施例に係る封緘具付きＩＣタグの全体の形状を示す正面図、図２は左側面図、図３は右側面図である。
【００４０】
この実施例における封緘具付きＩＣタグ２０の構成要素である封緘具１は、Ｕ形あるいはＣ形などに形成された折曲部２を起点として、第１フイラメント３と第２フイラメント４がほぼ等長で二重に松葉状に延長されている。そして第１フイラメント３の端部に挿通頭部を持つ雄部５が、また、第２フイラメント４の端部に挿通頭部を係合する挿通孔６ｂを持つ雌部６がそれぞれ設けられている。
【００４１】
そしてこの雄部５と雌部６の根元部に形成された２個の球状の拡大部５ａ、６ａが小面積の接点７により一体的に接続されて雄部５と雌部６とが一時的（製造から使用までの間）に分離しないようになっている。しかし、この接続状態は手操作で簡単に分離できる程度のものであることは言うまでもない。
【００４２】
そして衣類やバッグ類などの商品にタグ類を取付ける封緘操作においては、この雄部５を引っ張って接点７を分離し、これをタグ類の孔に通した後、更に雌部６の挿通孔６ｂ内に挿入することでフイラメント部３、４を輪状に連結することができる。
【００４３】
詳細な構造説明は省略するが、前記雄部５の頭部に複数個の羽状の突起部５ｂ（羽部）が形成されており、この雄部５を雌部６の挿通孔６ｂに挿通すると、前記突起部５ｂが前記挿通孔６ｂ内に形成された図示しない環状係合部に押圧されて縮小し、この環状係合部を通過した後に、この突起部５ｂが元の状態に拡開して環状係合部の係止面に引っかかって引き抜き不能に係合する。
【００４４】
なお、この実施例においては、雄部５側に設けた突起部５ｂと雌部６側に設けた挿通孔６ｂ内に設けた環状係合部とが係合する例を示したが、本発明においてはこれ以外に公知の構造、例えば、米国特許第４，８５４，０１４号に記載された構造のものなど、各種の係合構造を採用することができる。
【００４５】
そして、前記屈曲部２の下端部には切断可能に構成された「連結部９」を介して固定部１０が一体的に連結され、この固定部１０に図６に示すようにＩＣチップ１２ａとアンテナ１２ｂで形成されているＩＣ体１２（インレット）を内蔵した「ＩＣタグ部１１」が固定されている。
【００４６】
この固定部１０は、ＩＣタグ部１１の上端部の両面をコ字形に覆って成形され、更に、このＩＣタグ部１１の端部の表面まで貫通した小孔１３ａ（押さえピンの跡）が形成されて固定部１０によりＩＣタグ部１１と封緘具１を一体化している。
【００４７】
また、このＩＣタグ部１１の端部にあけた小孔１３ｂ（図６）を貫通して小柱が形成されて固定部１０の両面を接続し、このＩＣタグ部１１と封緘具１を一体化している構造やＩＣタグ部１１の端部に凹部を設けることで樹脂１３ｃがその部分に流れ込み、このＩＣタグ部１１と封緘具１を一体化する構造も採用することもできる。
【００４８】
このＩＣタグ部１１は、紙製あるいは合成樹脂シート製で２枚合わせになっており、図３（及び図６）に示すように、２枚の紙あるいは合成樹脂シート（紙、紙と合成樹脂シート、２枚の合成樹脂シート）の間に前記ＩＣ体１２が挟持状態で封入されている。その外面は平面状になっており、従って、その表面に識別表示やマークなどもすることができる。また、ＩＣタグ部１１は、１枚の紙もしくは合成樹脂シート製のものに貼りつけられたものでも良い。
【００４９】
前記封緘具１の下部を形成している屈曲部２は、Ｕ形、Ｖ形、Ｃ形、コ字形あるいはこれに全体として類似した形状を採用しており、その部分でタグ類（いわゆる商品タグ）の挟持部２ｓ（あるいは位置決め部）を形成している。
【００５０】
封緘具１からＩＣタグ部１１を固定する固定部１０までを一体成形する材料としては、ポリプロピレンやナイロン等の延伸によって強度が増加する特性を持つ合成樹脂（線状熱可塑性樹脂）を使用し、前記屈曲部２と雄部５と雌部６と連結部９と、更に固定部１０まで一体的に成形される。
【００５１】
この第１フイラメント３と第２フイラメント４は成形された原型のままの「未延伸タイプ」と、成形した金型（前後に２分されている）を使用し、一方又は双方を移動する金型内延伸方法によって約３倍程度に延伸されて直径を減少させ、それに伴なって引っ張り強度を増加さた「延伸タイプ」とがある。なお、通常の封緘具１は、第１フイラメント３と第２フイラメント４の強度は封緘操作に対応するために約５〜７ｋｇ程度の強度を与えた延伸タイプである。
【００５２】
本発明に係る封緘具付きＩＣタグ２０は、封緘具１と連結部９を介してＩＣタグ部１１が接続されている。この実施例における連結部９は、１本の糸状形成されており、例えば、商品を販売するレジの女性が指先で、屈曲部２と固定部１０との間に捻り作用あるいは引っ張り力を与えることによりネジ切ったり、千切ったりする「手操作」を行うことによってＩＣタグ部１１を封緘具１より分離し、このＩＣタグ部１１を回収、利用することができる。
【００５３】
この連結部９は、それ自体に封緘の際の張力が作用するものではなく、ＩＣタグ部１１を封緘具１側に連結する機能を持つものであれば良く、手で捻ったり、あるいは引っ張ったりすることで切断できるものであれば良い。
（実施例２）
図７〜図１０は第２の実施例を示すもので、この実施例における連結部９Ａは２本の糸状体のｆ１とｆ２を間隔をおいて形成されている（図９）。この２本の糸状体のｆ１、ｆ２の間隔と太さはＩＣタグ部１１の大きさやＩＣタグ２０全体としてのデザイン性などを考慮して決定される。この連結部９Ａを切断する際は、屈曲部２と固定部１０との間に手操作を加えれば良い。なお、ＩＣタグ部１１の大きさはＩＣ体１２の大きさにより形状や大きさは適宜設計できる。
（実施例３）
図１１と図１２とは第３の実施例に係る連結部９Ｂを示すもので、この連結部９Ｂは薄板状であり、これも手操作によって容易に切断することができ、ＩＣタグ部１１を簡単に分離することができる。
（実施例４）
図１３と図１４とは第４の実施例に係る連結部９Ｃを示すもので、この連結部９Ｃは薄板状で、両縁部にくびれが形成され、中央部が細くなっており、実施例３の場合よりも切断操作が容易であり、簡単にＩＣタグ部１１を分離することができる。
（実施例５）
図１５と図１６とは第５の実施例に係る連結部９Ｄを示すもので、この連結部９Ｄは右側の縁部にくびれが形成されており、手操作により簡単にＩＣタグ部１１を分離することができる。
（実施例６）
図１７と図１８は第６の実施例に係る連結部９Ｅを示すもので、この連結部９Ｅは前記実施例５とは逆向きにくびれが形成されている。実施例５とこの実施例６の連結部９Ｄと９Ｅは機能的には差がなく、手操作によって簡単に切断してＩＣタグ部１１を分離することができる。
（実施例７、８、９）
図１９と２０は、第７の実施例に係る両縁くびれ形の連結部９Ｆを示し、固定部１０の上縁がなで肩状に形成され、首部が切断用連結部を形成している。
【００５４】
図２１と２２とは第８の実施例に係る釣り鐘形のくびれで形成された連結部９Ｇを示している。
【００５５】
また、図２３と２４は、第９の実施例に係る２個の小球体を連結した連結部９Ｈを示している。この実施例のものは一種のビーズ形をしており、見栄えも良い。
【００５６】
前記  いずれの連結部９Ｆ、９Ｇ及び９Ｈにおいても、手操作によって容易に切断でき、それによってＩＣタグ部１１を分離し、これを保管することができる。
（実施例１０，１１，１２）
図２５及び図２６は第１０の実施例を示しており、この実施例においては屈曲部２と固体部１０との糸状の連結部で切断は可能であるが、連結部９Ｊに微細なミシン目を入れており、矢印Ｊのように分離できる。
【００５７】
図２７及び図２８は第１１の実施例を示しており、切断部９Ｋは片面あるいは両面をローラによって押圧して溝状に薄くしたもので、この部分よりＩＣタグ部１１を手操作で切断することができる。
【００５８】
図２９及び図３０は第１２の実施例を示しており、ＩＣタグ部１１と固定部１０の間にタグ部１１自体に縮小部を形成したものである。
（実施例１３，１４，１５）
図３１〜図３３は、第１３の実施例を示しており、固定部１０に直接２本のフイラメント部３、４を連結したもので、この場合はＩＣタグ部１１にミシン目状の連結部９Ｎを形成している。
【００５９】
図３４及び図３５は第１４の実施例を示しており、連結部９Ｐをロール加工した溝部で形成している。
【００６０】
図３６及び図３７は第１５の実施例を示しており、連結部９Ｑをミシン目加工して形成している。
【００６１】
図３１〜図３７に示した実施例においては、図１〜図５に示した第１の実施例における屈曲部２の代わりに固定部１０と２本のフイラメント３、４で同様な機能を与えている。このように、本発明における封緘具付きＩＣタグは、封緘具１とＩＣタグ部１１の固定部１０との間に切断できる連結部を形成した構造、あるいはＩＣタグ部１１自体に切断できる連結部を形成するなど、各種の変形が含まれている。
【００６２】
寸法的には、封緘具の種類にもよるが、封緘具１の雄部５の先端から屈曲部２の下面との間の長さは２０〜１６０ｍｍである。また、屈曲部２に一端が連結される連結部９の太さは約０．１〜０．６ｍｍ程度である。周知のように、ナイロンやポリプロピレンなどは延伸と共に強度と靱性が増加するために切断が困難であるが、成形したままの部分は比較的脆く、折り曲げや捻りに弱い特性を持っており、本発明はこの特性を有効に利用する。（実施例１６）
図３８〜４２は第１６の実施例を示すもので、図３８は直線状のフイラメント３ａの両端に雄部５と雌部６を設けた封緘具１Ａの雌部６に連結部９を介して固定部１０を形成し、この固定部１０にＩＣタグ部１１を固定した直線状の封緘具付きＩＣタグ２０Ａを示している。
【００６３】
前記雄部５と雌部６の係合構造は前記実施例に記載したものや公知の各種の構造を採用できる。そして前記雌部６の近傍に切断可能に形成された「連結部９」を介して固定部１０が一体的に連結され、この固定部１０に図６に示すようなＩＣチップ１２ａとアンテナ１２ｂで形成されているＩＣ体（インレット）を内蔵したＩＣタグ部１１が固定されている。
【００６４】
また、前記固定部１０も前記実施例に記載された各種のものを採用することができる。また、ＩＣタグ部も１枚もしくは２枚合わせにした紙製もしくは合成樹脂シートで構成されており、そこにＩＣ体１２を貼りつけるか封入されている。
【００６５】
図４１と４２は実施例１６の封緘具１Ａと固定部１０との間に一体的に形成される連結部９の１例を示しており、この連結部９は小径の糸状のもので形成されており、これを手操作によって簡単に切断することができる。なお、この連結部９は前記第１の実施例などに記載されたものを採用することができる。
【００６６】
手操作で分離できるとは、常人が、特別な器具を利用せずに、ねじ切る、ねじって引っ張る、折り曲げる、折り曲げてねじ切る、折り曲げてねじって引っ張る、引き千切る、又は千切ること等によって、容易に分離できること又は分離可能に連結したことを言う。そのために、前述した実施例では、切り込み、ミシン目、くびれ又は未延伸処理（ナイロンやポリプロピレン等で延伸せずに成形したままの状態にした部分）等によって、連結部に封緘具の強度に比べて強度を低下させた強度低下処理部分を設けたり、連結部自体の強度を封緘具の強度に比べて低下させたりしている。
【００６７】
前述した実施例をまとめると、手操作によって、ねじ切ることによって分離できるものとしては、実施例１〜９、１２及び１６等に示された連結部を有するＩＣ付きタグがある。また、手操作によって、ねじった上で、引っ張ることによって分離できるものとしては、実施例１〜９、１２及び１６等に示された連結部を有するＩＣ付きタグがある。さらに、手操作で折り曲げることによって分離できるものとしては、実施例３〜７及び１０〜１６等に示された連結部を有するＩＣ付きタグがある。さらに、手操作によって、折り曲げた上で、ねじ切ることによって分離できるものとしては、実施例３〜７及び１０〜１６等に示された連結部を有するＩＣ付きタグがある。さらに、手操作によって、折り曲げた上で、ねじりながら引っ張ることによって分離できるものとしては、実施例３〜７及び１０〜１６等に示された連結部を有するＩＣ付きタグがある。さらに、手操作によって、引き千切ることによって分離できるものとしては、実施例１、２、４〜９、１２及び１６等に示された連結部を有するＩＣ付きタグがある。さらに、手操作によって、千切ることによって分離できるものとしては、実施例１０〜１６等に示された連結部を有するＩＣ付きタグがある。
【００６８】
図４４は商品タグ２５と本発明に係る封緘具付きＩＣタグ２０を組み合わせた状態を示している。例えば、ワイシャツ２６にこのタグ２０を取付ける際には、予め第１フイラメント３側に商品タグ２５を支持させ、そしてこの第１フイラメント３をワイシャツ２６のボタンホール２７に通した後、雄部５を雌部６の挿通孔６ｂ内に係合させることで封緘具１を簡単にリング状に連結して商品タグ２５をワイシャツ２６に取付け、この状態で商品であるワイシャツ２６を展示販売するのである。そして顧客がこの商品を購入した時には、レジにおいて販売員が、ＩＣタグ部１１を素早く手操作で分離し、保管し、タグ２５は商品に付けたままでその顧客に手渡すことになる。
【図面の簡単な説明】
【００６９】
【図１】本発明の第１の実施の形態に係る封緘具付きＩＣタグの正面図である。
【図２】図１の左側面図である。
【図３】図１の右側面図である。
【図４】図１の屈曲部とＩＣタグ部と連結部を示す正面図である。
【図５】図４の側面図である。
【図６】ＩＣタグ部の拡大図である。
【図７】第２の実施の形態に係る２本の糸状体で形成される連結部を持つＩＣタグの正面図である。
【図８】図７に示すＩＣタグの側面図である。
【図９】図７の屈曲部とＩＣタグ部と連結部を示す正面図である。
【図１０】図９の側面図である。
【図１１】第３の実施の形態に係る薄板形の連結部の正面図である。
【図１２】図１１の側面図である。
【図１３】第４の実施の形態に係る縮小形の連結部の正面図である。
【図１４】図１３の側面図である。
【図１５】第５の実施の形態に係る縮小形の連結部の正面図である。
【図１６】図１５の側面図である。
【図１７】第６の実施の形態に係る縮小形の連結部の正面図である。
【図１８】図１７の側面図である。
【図１９】第７の実施の実施の形態に係る両縁縮小形の連結部の正面図である。
【図２０】図１９の側面図である。
【図２１】第８の実施の形態に係る釣り鐘形の連結部の正面図である。
【図２２】図２１の側面図である。
【図２３】第９の実施の形態に係るビーズ形の連結部の正面図である。
【図２４】図２３の側面図である。
【図２５】第１０の実施の形態に係るタグ切断形のタグと封緘具との関係を示す正面図である。
【図２６】図２５の側面図である。
【図２７】第１１の実施の形態に係るタグ切断形のタグと封緘具との関係を示す正面図である。
【図２８】図２７の側面図である。
【図２９】第１２の実施の形態に係るタグ切断形のタグと封緘具との関係を示す正面図である。
【図３０】図２９の側面図である。
【図３１】第１３の実施の形態に係るタグ切断形のタグと封緘具との関係を示す正面図である。
【図３２】図３１の左側面図である。
【図３３】図３１の右側面図である。
【図３４】第１４の実施の形態に係るタグ切断形のタグを示す正面図である。
【図３５】図３４の側面図である。
【図３６】第１５の実施の形態に係るタグ切断形のタグを示す正面図である。
【図３７】図３６の側面図である。
【図３８】第１６の実施の形態に係る封緘具付きＩＣタグの正面図である。
【図３９】図３８の右側面図である。
【図４０】図３８の左側面図である。
【図４１】糸形の連結部を示す正面図である。
【図４２】糸形の連結部を示す側面図である。
【図４３】商品であるワイシャツにＩＣタグを利用して商品タグを取付けた状態を示す図である。
【図４４】ＩＣタグと商品タグを組み合わせた状態の説明図である。
【符号の説明】
【００７０】
１  封緘具      ２  屈曲部      ３  第１フイラメント
４  第２フイラメント      ５  雄部      ５ａ  拡大部      ５ｂ  突起部
６  雌部      ６ａ  拡大部        ６ｂ  挿通孔      ７  接点
９，９Ａ，９Ｂ，９Ｃ，９Ｄ，９Ｅ，９Ｆ，９Ｇ，９Ｈ，９Ｊ，９Ｋ，９Ｍ  連結部
１０  固定部        １１  ＩＣタグ部
１２  ＩＣ体（インレット）      １２ａ  ＩＣチップ      １２ｂ  アンテナ
２０  ＩＣタグ
【図１】
2005190173.tif 000003
【図２】
2005190173.tif 000004
【図３】
2005190173.tif 000005
【図４】
2005190173.tif 000006
【図５】
2005190173.tif 000007
【図６】
2005190173.tif 000008
【図７】
2005190173.tif 000009
【図８】
2005190173.tif 000010
【図９】
2005190173.tif 000011
【図１０】
2005190173.tif 000012
【図１１】
2005190173.tif 000013
【図１２】
2005190173.tif 000014
【図１３】
2005190173.tif 000015
【図１４】
2005190173.tif 000016
【図１５】
2005190173.tif 000017
【図１６】
2005190173.tif 000018
【図１７】
2005190173.tif 000019
【図１８】
2005190173.tif 000020
【図１９】
2005190173.tif 000021
【図２０】
2005190173.tif 000022
【図２１】
2005190173.tif 000023
【図２２】
2005190173.tif 000024
【図２３】
2005190173.tif 000025
【図２４】
2005190173.tif 000026
【図２５】
2005190173.tif 000027
【図２６】
2005190173.tif 000028
【図２７】
2005190173.tif 000029
【図２８】
2005190173.tif 000030
【図２９】
2005190173.tif 000031
【図３０】
2005190173.tif 000032
【図３１】
2005190173.tif 000033
【図３２】
2005190173.tif 000034
【図３３】
2005190173.tif 000035
【図３４】
2005190173.tif 000036
【図３５】
2005190173.tif 000037
【図３６】
2005190173.tif 000038
【図３７】
2005190173.tif 000039
【図３８】
2005190173.tif 000040
【図３９】
2005190173.tif 000041
【図４０】
2005190173.tif 000042
【図４１】
2005190173.tif 000043
【図４２】
2005190173.tif 000044
【図４３】
2005190173.tif 000045
【図４４】
2005190173.tif 000046